(57)【特許請求の範囲】
【請求項１】
中央鏡枠、該中央鏡枠の下端縁に回動自在に設けられた下部鏡枠、並びに該中央鏡枠の上端縁に回動自在に設けられた上部鏡枠を有して、アイメイクのために縦向きに展開可能な三面の鏡面を有する三面鏡と、上記中央鏡枠の裏面に重ね合わせる配置で当該裏面に沿って回転自在に設けられ、該中央鏡枠の外形寸法内に納まるその左右長さ方向に沿って横向きに寝かせて収納した状態から、該中央鏡枠から突出するその上下幅方向に沿って縦向きに立てた化粧操作状態まで回転されるホルダ体と、該ホルダ体に交換可能に保持され、化粧料を収納する収納体とを備え、該収納体は、上記ホルダ体から露出されると共に、該ホルダ体を縦向きに立てた化粧操作状態で上記中央鏡枠から突出されるキャップを有することを特徴とするアイメイク用化粧料容器。
【発明の詳細な説明】
【技術分野】
【０００１】
本発明は、アイメイク用の三面鏡を備えていても、良好な操作性で化粧操作することが可能なアイメイク用化粧料容器に関する。
【背景技術】
【０００２】
従来、化粧料容器の中には、横向きに展開される三面鏡を有するものが知られている（例えば、特許文献１〜３参照）とともに、特に眼の上側や下側を見易くする目的で、例えば特許文献４に開示されているように、化粧料が収納される容器本体にヒンジを介して回動自在に連結されて当該容器本体を開閉する蓋体の表面に、縦向きに展開される三面鏡の正面鏡の背面を重ね合わせて取り付けるようにした化粧料容器も知られている。
【特許文献１】実開昭６２−７９１１号公報
【特許文献２】実開昭６２−７８８０７号公報
【特許文献３】特開２０００−１７５７３８号公報
【特許文献４】特開平１１−２９９５３９号公報
【発明の開示】
【発明が解決しようとする課題】
【０００３】
ところで、特許文献４に開示された化粧料容器では、化粧をする際、化粧操作を見るための三面鏡の反対側に蓋体を挟んで、化粧料を収納している容器本体が位置することになるため、三面鏡を正面に向けて化粧をする一方で、化粧具に化粧料を付着するときには手を回すなどして三面鏡を顔から逸らして容器本体を正面に向けなければならず、そしてまた三面鏡を元の位置に戻して顔を映すというように操作する必要があって、化粧をする際の操作性がよくなかった。特に、このような従来の化粧料容器に収納する化粧料として、液体状や粉体状のアイメイク用のマスカラ、リキッドアイライナーなどの化粧料を想定した場合にも、操作性が良くないことは同様であり、当該液体状や粉体状の化粧料に対して好適な三面鏡を備えたアイメイク用化粧料容器の案出が望まれていた。
【０００４】
本発明は上記従来の課題に鑑みて創案されたものであって、アイメイク用の三面鏡を備えていても、良好な操作性で化粧操作することが可能なアイメイク用化粧料容器を提供することを目的とする。
【課題を解決するための手段】
【０００５】
本発明にかかるアイメイク用化粧料容器は、中央鏡枠、該中央鏡枠の下端縁に回動自在に設けられた下部鏡枠、並びに該中央鏡枠の上端縁に回動自在に設けられた上部鏡枠を有して、アイメイクのために縦向きに展開可能な三面の鏡面を有する三面鏡と、上記中央鏡枠の裏面に重ね合わせる配置で当該裏面に沿って回転自在に設けられ、該中央鏡枠の外形寸法内に納まるその左右長さ方向に沿って横向きに寝かせて収納した状態から、該中央鏡枠から突出するその上下幅方向に沿って縦向きに立てた化粧操作状態まで回転されるホルダ体と、該ホルダ体に交換可能に保持され、化粧料を収納する収納体とを備え、該収納体は、上記ホルダ体から露出されると共に、該ホルダ体を縦向きに立てた化粧操作状態で上記中央鏡枠から突出されるキャップを有することを特徴とする。
【発明の効果】
【０００６】
本発明にかかるアイメイク用化粧料容器にあっては、アイメイク用の三面鏡を備えていても、良好な操作性で化粧操作することができる。具体的には、中央鏡枠に対し、上部鏡枠を上側に、下部鏡枠を下側に回動させて縦向きに展開させることができて、これによりアイメイクに便利なように三面鏡を上下方向へ縦向きに配置することができる。中央鏡枠の裏面に沿って横向き状態から縦向き状態にホルダ体の向きを変えることにより収納体内の化粧料をこぼすことなく使用することができる。中央鏡枠から突出する収納体のキャップを外し、三面鏡を見ながら化粧操作を行うことができる。化粧操作が終わったときには、キャップを閉め、ホルダ体を回転操作して元に戻せば中央鏡枠に重ね合わせることができ、これにより縦向きの場合には中央鏡枠から突出する収納体、ひいてはホルダ体を、コンパクトに中央鏡枠、ひいては三面鏡の外形寸法内に納めることができる。すなわち、収納体を保持するホルダ体を横向きに回転させることによる三面鏡に対する収納性と、ホルダ体を縦向きに回転させることによる化粧料の化粧操作性とを勘案して合理的に三面鏡を利用したアイメイクを行うことができる。構造が非常に簡単である反面、化粧の操作性に対してきわめて顕著な改善を図ることができる。
【発明を実施するための最良の形態】
【０００７】
以下に、本発明にかかるアイメイク用化粧料容器の好適な一実施形態を、添付図面を参照して詳細に説明する。本実施形態にかかるアイメイク用化粧料容器は基本的には、図１〜図３に示すように、中央鏡枠４、中央鏡枠４の下端縁に回動自在に設けられた下部鏡枠６、並びに中央鏡枠４の上端縁に回動自在に設けられた上部鏡枠８を有して、アイメイクのために縦向きに展開可能な三面の鏡面４ａ，６ａ，８ａを有する三面鏡１と、中央鏡枠４の裏面４ｂに重ね合わせる配置で当該裏面４ｂに沿って回転自在に設けられ、中央鏡枠４の外形寸法内に納まるその左右長さ方向に沿って横向きに寝かせて収納した状態から、中央鏡枠４から突出するその上下幅方向に沿って縦向きに立てた化粧操作状態まで回転されるホルダ体３と、ホルダ体３に交換可能に保持され、化粧料を収納する収納体２とを備え、収納体２は、ホルダ体３から露出されると共に、ホルダ体３を縦向きに立てた化粧操作状態で中央鏡枠４から突出されるキャップ１６を有して構成される。
【０００８】
三面鏡１は本実施形態にあっては、正面の鏡板４ａが取り付けられた板状の中央鏡枠４と、この中央鏡枠４の下端縁に下側ヒンジ５を介して回動自在に設けられ、回動されて正面の鏡板４ａに向かい合わせて重ね合わされる下側の鏡板６ａが取り付けられた板状の下部鏡枠６と、中央鏡枠４の上端縁に上側ヒンジ７を介して回動自在に設けられ、回動されて下部鏡枠６の裏面に重ね合わされる上側の鏡板８ａが取り付けられた板状の上部鏡枠８とから構成される。特に、上側ヒンジ７は、中央鏡枠４上に下部鏡枠６を重ね合わせた状態で、当該下部鏡枠６上に上部鏡枠８を重ね合わせるために、下部鏡枠６の板厚相当の高さ寸法で形成される。そしてこの三面鏡１は、上側ヒンジ７および下側ヒンジ５により、中央鏡枠４に対し、上部鏡枠８を上側に、下部鏡枠６を下側に回動させて縦向きに展開させることが可能で、これによりアイメイクに便利なように三面の鏡板４ａ，６ａ，８ａが上下方向へ縦向きに配置されるようになっている。
【０００９】
この三面鏡１、具体的には正面の鏡板４ａが取り付けられる中央鏡枠４にはその裏面４ｂに、これに重ね合わせる配置で、ホルダ体３が設けられる。ホルダ体３は中空筒体状に形成されるとともに、中央部に肉厚な仕切壁部９が形成されて、これにより左右に２つの収納空間１０が区画形成される。特にこのホルダ体３は、回動機構１１を介して中央鏡枠４の裏面４ｂに沿って回転自在に取り付けられる。回動機構１１は、中央鏡枠４の裏面４ｂ中央に一体形成された回転支軸１２と、ホルダ体３の仕切壁部９に貫通形成され、回転支軸１２が挿入される軸孔１３と、軸孔１３に挿通された回転支軸１２に嵌合されてホルダ体３を係止し、当該ホルダ体３が回転支軸１２から抜け出すのを防止する円形状の抜け止め部材１４とから構成され、これによりホルダ体３は回転支軸１２周りに三面鏡１、具体的には中央鏡枠４の外形寸法内に納まるその左右長さ方向に沿って横向きに寝かせた状態から、中央鏡枠４から突出するその上下幅方向に沿って縦向きに立てた状態まで回転されるようになっている。
【００１０】
このホルダ体３の各収納空間１０には、アイメイク用のマスカラ、リキッドアイライナーなど、液体状や粉体状の化粧料を収納する収納体２が交換可能に保持される。収納体２は、薄肉な容器本体１５内に収容された化粧料が容器本体１５の口部に螺合されるキャップ１６に設けられたブラシ１７に付着され、キャップ１６を外してブラシ１７を容器本体１５から抜き出して化粧料を取り出す際には、ブラシ１７が口部のしごき部材１８でしごかれるようになっている。特にこれらマスカラやリキッドアイライナーなどの収納体２は、化粧操作性を考慮して長いブラシ１７が用いられることから、長さ寸法が長いという特長がある。この収納体２のキャップ１６はホルダ体３の収納空間１０から露出され、そしてまた、ホルダ体３を立てた状態まで回転させたときには、中央鏡枠４から上方へ突出されるようになっている。
【００１１】
また図示しないけれども、これらホルダ体３と中央鏡枠４との間には、ホルダ体３を横向きに寝かせた重ね合わせ状態およびホルダ体３を立てた使用状態それぞれの位置で両者を互いに係脱自在に係止して位置保持する凹凸部が設けられ、これによりホルダ体３と三面鏡１の重ね合わせ状態や化粧時の三面鏡１に対するホルダ体３の縦向き姿勢を安定的に維持することができ、不用意にホルダ体３が回転してしまうことを防止することができる。
【００１２】
本実施形態にかかるアイメイク用化粧料容器の作用について説明すると、化粧操作をする際には、上側および下側ヒンジ５，７を介して中央鏡枠４に対し上部鏡枠８および下部鏡枠６をそれぞれ上側および下側に回動操作して縦向きに展開させることにより三面鏡１を開いて、眼の周りを映すことができるように手指で支えるとともに、ホルダ体３の周囲を押圧することにより回動機構１１を介して回転操作して、中央鏡枠４の裏面４ｂに沿って横向き状態から縦向き状態にホルダ体３の向きを変えるようにする。これにより収納体２内の液体状や粉体状の化粧料をこぼすことなく使用することができる。
【００１３】
そして中央鏡枠４から突出する収納体２のキャップ１６を外しブラシ１７を抜き出すことにより、三面鏡１を見ながら化粧操作を行うことができる。化粧操作が終わったときには、ブラシ１７を戻してキャップ１６を閉め、ホルダ体３を回転操作して元に戻せば中央鏡枠４に重ね合わせることができ、これにより縦向きの場合には上述したように長さが長くて中央鏡枠４から突出する収納体２、ひいてはホルダ体３を、コンパクトに中央鏡枠４、ひいては三面鏡１の外形寸法内に納めることができ、さらに三面鏡１を折り畳むようにすればよい。
【００１４】
以上説明したように本実施形態にかかるアイメイク用化粧料容器にあっては、中央鏡枠４に対しこれと重ね合わせる配置で、三面鏡１の裏面に当該裏面に沿って回転自在に、液体状や粉体状の化粧料を収納する収納体２を保持するホルダ体３を設けるようにしたので、ブラシ１７の長さに応じて長い収納体２を保持するホルダ体３を横向きに回転させることによる三面鏡１に対する収納性と、ホルダ体３を縦向きに回転させることによる液体状や粉体状の化粧料の化粧操作性とを勘案して合理的に三面鏡１を利用したアイメイクを行うことができるとともに、従来のように三面鏡を正面に向けて化粧をする一方で、化粧具に化粧料を付着するときには手を回すなどして三面鏡を顔から逸らして容器本体を正面に向けるようにし、さらにまた三面鏡を元の位置に戻して顔を映すというような煩雑な操作を必要とせずに、良好な操作性で化粧をすることができる。そして本実施形態にあっては、構造が非常に簡単である反面、化粧の操作性に対してきわめて顕著な改善を図ることができる。
【００１５】
本実施形態にあっては、下部鏡枠６を上部鏡枠８と中央鏡枠４との間に挟み込む重ね合わせの形態を例示しているが、上部鏡枠８を挟み込むようにしてもよい。
【図面の簡単な説明】
【００１６】
【図１】本発明にかかるアイメイク用化粧料容器の好適な一実施形態を示す斜視図である。
【図２】図１のアイメイク用化粧料容器の側断面図である。
【図３】図１のアイメイク用化粧料容器の使用状態を示す説明図である。
【符号の説明】
【００１７】
１  三面鏡
２  収納体
３  ホルダ体
【図１】
0004651967.tif 000002
【図２】
0004651967.tif 000003
【図３】
0004651967.tif 000004